(57)【要約】【課題】配線器具固定体を壁裏側固定体に固定するための固定ビスを壁裏側固定体から取り外すことなく、配線器具覆い具を配線器具装置に効率良く安全に設置する。【解決手段】略コ字状の台座部材１０と、配線器具３１と化粧プレートとを覆い隠す覆い部材２０とで構成した。台座部材１０は、壁裏側の壁裏側固定体３３に一対の固定ビス３４，３４で固定されて壁表側に配線器具３１を臨ませる配線器具固定体３２と、壁表面４２と、の間で挟持される一対の被挟持部１１，１１と、一対の被挟持部１１，１１どうしを連結する連結部と、を有する。覆い部材２０は、台座部材１０に着脱自在に嵌合する嵌合部を有する。台座部材１０の一対の被挟持部１１，１１は、固定ビス３４を緩めた状態で配線器具固定体３２の裏面３２ｂと壁表面４２との隙間に挿入可能であるとともに、一対の固定ビス３４，３４の並び方向の両外側にそれぞれ配置可能とした。【選択図】図３
2019205236.tif 000002
【特許請求の範囲】
【請求項１】
壁裏側に配置された壁裏側固定体に一対の固定ビスで固定されて壁表側に配線器具を臨ませる配線器具固定体と、壁表面と、の間で挟持される一対の被挟持部と、該一対の被挟持部どうしを連結する連結部と、を有する略コ字状の台座部材と、
前記台座部材に着脱自在に嵌合する嵌合部を有し、前記配線器具と前記配線器具固定体を化粧する化粧プレートとを覆い隠す覆い部材と、
からなる配線器具覆い具であって、
前記一対の被挟持部は、前記固定ビスを緩めた状態で前記配線器具固定体の裏面と前記壁表面との隙間に挿入可能に形成されているとともに、前記一対の被挟持部の間隔が前記一対の固定ビスの間隔より大きく形成されて、前記一対の固定ビスの並び方向の両外側にそれぞれ配置可能である
ことを特徴とする配線器具覆い具。
【請求項２】
前記台座部材は、前記被挟持部に前記覆い部材の嵌合部が嵌合する被嵌合部を有し、
前記覆い部材の嵌合部は、前記被挟持部の延びる方向に前記覆い部材をスライド移動させることで前記被挟持部の被嵌合部に嵌合可能であることを特徴とする請求項１に記載の配線器具覆い具。
【請求項３】
前記覆い部材は、前記ケーブルを内外を貫通するように配置すべく、除去可能な閉塞部により閉塞された貫通孔が設けられていることを特徴とする請求項１または請求項２に記載の配線器具覆い具。
【請求項４】
前記覆い部材は、前記化粧プレートの周囲を囲む周壁と、該周壁の一端側を繋ぎ前記配線器具と前記化粧プレートとを覆い隠す天壁と、を備え、一部の前記周壁の他端側の先端縁は、前記台座部材の連結部が配置可能に切欠かれているとともに、前記一部を除く周壁の先端縁は、前記壁表面と略接するように形成されていることを特徴とする請求項１乃至請求項３のいずれかに記載の配線器具覆い具。
【請求項５】
前記化粧プレートは、矩形状に形成され、前記配線器具固定体の前面に固定されるプレート枠と、該プレート枠に嵌着されるプレート本体と、からなり、
前記台座部材は、前記プレート枠の対向する二対の辺またはこのうちいずれか一対の辺の外側縁と当接する当接段部を有することを特徴とする請求項１乃至請求項４のいずれかに記載の配線器具覆い具。
【請求項６】
壁孔に配置される配線器具を壁表側に臨ませる配線器具固定体が、壁裏側に配置された壁裏側固定体に一対の固定ビスで固定され、前記固定ビスを緩めた状態で前記配線器具固定体の裏面と前記壁表面との隙間に挿入可能な厚さに形成された一対の被挟持部を有する台座部材の該各被挟持部が、前記一対の固定ビスの並び方向における両外側にそれぞれ配置されて、前記配線器具固定体と前記壁表面との間で挟持され、前記配線器具固定体に、該配線器具固定体を化粧する化粧プレートが取着されており、前記配線器具及び前記化粧プレートを覆い隠す覆い部材が前記台座部材に取着されていることを特徴とする配線器具覆い部材の設置構造。
【請求項７】
前記覆い部材は、前記化粧プレートの周囲を囲む矩形状の周壁と、該周壁の一端側を繋ぎ前記配線器具及び前記化粧プレートを覆い隠す天壁と、を備え、一辺を除く他の辺の周壁における他端側の先端縁は、前記壁表面と略接するとともに、前記一辺の周壁は、前記化粧プレートの壁表側の突出長より大きく前記壁表面から後退しており、
前記台座部材は、前記化粧プレートの周囲の一辺に沿う立ち壁が設けられ、該立ち壁は、前記化粧プレートの壁表側の突出長より大きく突出形成され、他の対向する辺に、前記覆い部材がスライド移動により嵌合する被嵌合部が設けられていることを特徴とする請求項６に記載の配線器具覆い部材の設置構造。
【請求項８】
前記覆い部材は、前記台座部材に対して、前記壁表面に沿う方向へのスライド移動により着脱可能であり、前記スライド方向と前記配線器具からのケーブルの引出し方向とは同一であることを特徴とする請求項６または請求項７に記載の配線器具覆い部材の設置構造。
【発明の詳細な説明】
【技術分野】
【０００１】
本発明は、コンセント等の配線器具を埃等の侵入防止などのために覆う配線器具覆い具、及び配線器具覆い部材の設置構造に関するものである。
【背景技術】
【０００２】
コンセント等の配線器具に埃等が侵入し蓄積するとトラッキング現象が発生する虞があり、また、小児がいたずらで配線器具に触れたりすると感電する虞があり危険であった。そこで、本件出願人は、特許文献１に記載の配線器具装置の隠ぺい装置を提案している。
【０００３】
この配線器具装置の隠ぺい装置を、図８の概略断面図で示すと、まず、配線器具装置３０は、図８(a)に示すように、壁裏に配置される配線ボックスからなる壁裏側固定体３３と、壁裏の電線が接続されて壁孔４０から壁表に露出する配線器具３１と、その配線器具３１を保持して壁表面４２に対向するとともに壁裏側固定体３３にビス止めされる器具保持枠からなる配線器具固定体３２と、配線器具３１が壁表に露出するようにして配線器具固定体３２及び壁孔４０を覆う化粧プレート３５とを備えている。
次に、隠ぺい装置６０は、図８(b)に示すように、壁表面４２と配線器具固定体３２との間に配置される背面板６１ａを有する基台６１と、基台６１に組み付けられてもしくは備えられて、配線器具装置３０の壁表側を覆い隠すカバー体６２とを備えている。
【０００４】
この隠ぺい装置６０は、基台６１における背面板６１ａは、壁表面４２と配線器具固定体３２との間に配置され、配線器具固定体３２が壁裏側固定体３３にビス止めされると、背面板６１ａは配線器具固定体３２によって壁表面４２に押し付けられることとなり、壁に安定して固定される。
【先行技術文献】
【特許文献】
【０００５】
【特許文献１】特開２０１７−５７７８号公報
【発明の概要】
【発明が解決しようとする課題】
【０００６】
しかし、特許文献１の隠ぺい装置６０は、既設の配線器具装置３０に取り付けるには、図８(b)に示すように、配線器具固定体３２を壁裏の壁裏側固定体３３に固定する固定ビス３４を一旦壁裏側固定体３３から完全に取り外してから隠ぺい装置６０の基台６１を配線器具固定体３２と壁表面４２との間に挿入し、再度固定ビス３４を最初から壁裏側固定体３３のビス孔に螺着して取り付ける必要があった。このため、隠ぺい装置６０の取り付けに手間がかかり、面倒な作業となっていた。そして、隠ぺい装置６０の基台６１を取り付けるためにこのような固定ビス３４の取り外し及び取り付け作業を行なうことは、誤って感電する虞も生じ得る。
【０００７】
そこで、本発明は、配線器具固定体を壁裏側固定体に固定するための固定ビスを壁裏側固定体から取り外すことなく配線器具装置に効率良く安全に設置することのできる配線器具覆い具、及び配線器具覆い部材の設置構造の提供を課題とするものである。
【課題を解決するための手段】
【０００８】
請求項１の配線器具覆い具は、壁裏側に配置された壁裏側固定体に一対の固定ビスで固定されて壁表側に配線器具を臨ませる配線器具固定体と、壁表面と、の間で挟持される一対の被挟持部と、該一対の被挟持部どうしを連結する連結部と、を有する略コ字状の台座部材と、
前記台座部材に着脱自在に嵌合する嵌合部を有し、前記配線器具及び前記配線器具固定体を化粧する化粧プレートを覆い隠す覆い部材と、
からなるものであって、
前記一対の被挟持部は、前記固定ビスを緩めた状態で前記配線器具固定体の裏面と前記壁表面との隙間に挿入可能に形成されているとともに、前記一対の被挟持部の間隔が前記一対の固定ビスの間隔より大きく形成されて、前記一対の固定ビスの並び方向の両外側にそれぞれ配置可能なものである。
【０００９】
請求項２の配線器具覆い具は、特に、台座部材が、前記被挟持部に前記覆い部材の嵌合部が嵌合する被嵌合部を有し、覆い部材の嵌合部は、前記被挟持部の延びる方向に前記覆い部材をスライド移動させることで前記被挟持部の被嵌合部に嵌合可能なものである。
請求項３の配線器具覆い具は、覆い部材が、前記ケーブルを内外を貫通するように配置すべく、除去可能な閉塞部により閉塞された貫通孔が設けられたものである。
請求項４の配線器具覆い具は、覆い部材が、前記化粧プレートの周囲を囲む周壁と、該周壁の一端側を繋ぎ前記配線器具と前記化粧プレートとを覆い隠す天壁と、を備え、一部の前記周壁の他端側の先端縁は、前記台座部材の連結部が配置可能に切欠かれているとともに、前記一部を除く周壁の先端縁は、前記壁表面と略接するように形成されたものである。
請求項５の配線器具覆い具は、化粧プレートが、矩形状に形成され、前記配線器具固定体の前面に固定されるプレート枠と、該プレート枠に嵌着されるプレート本体と、からなり、台座部材が、前記プレート枠の対向する二対の辺またはこのうちいずれか一対の辺の外側縁と当接する当接段部を有するものである。
【００１０】
請求項６の配線器具覆い部材の設置構造は、壁孔に配置される配線器具を壁表側に臨ませる配線器具固定体が、壁裏側に配置された壁裏側固定体に一対の固定ビスで壁裏側に付勢固定され、前記固定ビスを緩めた状態で前記配線器具固定体の裏面と前記壁表面との隙間に挿入可能な厚さに形成された一対の被挟持部を有する台座部材の該各被挟持部が、前記一対の固定ビスの並び方向における両外側にそれぞれ配置されて、前記配線器具固定体と壁表面との間で挟持され、前記配線器具固定体に、該配線器具固定体を化粧する化粧プレートが取着されており、前記配線器具及び前記化粧プレートを覆い隠す覆い部材が前記台座部材に取着されたものである。
【００１１】
請求項７の配線器具覆い部材の設置構造は、特に、覆い部材が、前記化粧プレートの周囲を囲む矩形状の周壁と、該周壁の一端側を繋ぎ前記配線器具及び前記化粧プレートを覆い隠す天壁と、を備え、一辺を除く他の辺の周壁における他端側の先端縁は、前記壁表面と略接するとともに、前記周壁の一辺は、前記化粧プレートの壁表側の突出長より大きく前記壁表面から後退しており、
台座部材は、前記化粧プレートの周囲の一辺に沿う立ち壁が設けられ、該立ち壁は、前記化粧プレートの壁表側の突出長より大きく突出形成され、他の対向する辺に、前記覆い部材がスライド移動により嵌合する被嵌合部が設けられたものである。
請求項８の配線器具覆い部材の設置構造は、覆い部材が、前記台座部材に対して、前記壁表面に沿う方向へのスライド移動により着脱可能であり、前記スライド方向と前記配線器具からのケーブルの引出し方向とは同一のものである。
【発明の効果】
【００１２】
本発明は、台座部材の一対の被挟持部が、固定ビスを緩めた状態で配線器具固定体の裏面と壁表面との隙間に挿入可能に形成されているとともに、一対の被挟持部の間隔は一対の固定ビスの間隔より大きく形成されて、一対の固定ビスの並び方向の両外側に一対の被挟持部をそれぞれ配置可能である。したがって、固定ビスを壁裏側固定体から取り外すことなく配線器具覆い具を配線器具固定体の裏面と壁表面との間に挿入し設置することができ、その設置作業を効率良く安全に行なうことができる。
【図面の簡単な説明】
【００１３】
【図１】本発明の実施形態の配線器具覆い具を示し、(a)は分解斜視図、(b)は台座部材と覆い部材とを組み付けた状態を示す斜視図である。
【図２】本発明の実施形態の配線器具覆い部材の設置構造を示す分解斜視図である。
【図３】本発明の実施形態の配線器具覆い部材の設置構造の断面図である。
【図４】図１の配線器具覆い具を設置する手順を示す説明図である。
【図５】同じく、図１の配線器具覆い具を設置する手順を示す説明図である。
【図６】同じく、図１の配線器具覆い具を設置する手順を示す説明図である。
【図７】ケーブルが水平方向に引き出された配線器具装置に覆い具を取り付ける状態を示す斜視図である。
【図８】従来の配線器具覆い具を示す断面図である。
【発明を実施するための形態】
【００１４】
以下、本発明の実施形態の配線器具覆い具、及び配線器具覆い部材の設置構造を図に基づいて説明する。
配線器具覆い具は、室内の壁孔に配線器具を設置した配線器具装置に取り付けられて配線器具等の壁表側を覆うものである。ここで、配線器具としては、コンセントやスイッチ等が挙げられる。
【００１５】
前記配線器具覆い部材の設置構造は、室内の壁孔に配置される配線器具を壁表側に臨ませる配線器具固定体が、壁裏側に配置された壁裏側固定体に一対の固定ビスで固定され、配線器具固定体には、配線器具固定体を化粧する化粧プレートが取着され、更に、配線器具及び化粧プレートは配線器具覆い具によって覆い隠されたものである。以下、各構成部材について詳細に説明する。
【００１６】
図１乃至図３は、配線器具覆い具１を示し、図２及び図３は、配線器具覆い部材の設置構造２を示す。図２では、各構成部材は左上から右下の順に組み重ねられている。このうち、まず、配線器具覆い部材の設置構造２において配線器具覆い具１が取り付けられる配線器具装置３０は、配線器具３１を壁表側に臨ませる配線器具固定体３２が壁孔４０の前方に配置されている。本実施形態において、配線器具固定体３２は、配線器具３１を取り付ける矩形枠状の配線器具取付枠からなる。なお、配線器具固定体３２は、配線器具取付枠とコンセント等の配線器具３１とが一体化したものも含まれる。配線器具固定体３２の上下両端部の幅方向中央部には一対の長孔からなる挿通孔３２ａ，３２ａが設けられている。
【００１７】
一方、壁裏側には、配線ボックス等からなる壁裏側固定体３３が配置されており、壁裏側固定体３３の壁裏側の面積は壁孔４０より大きく、壁裏側固定体３３の外周端部は壁裏面４１に当接可能となっている。配線器具固定体３２は、固定ビス３４が上下一対の挿通孔３２ａ，３２ａそれぞれに挿通され、壁孔４０を貫通した後、壁裏側固定体３３である配線ボックスのボス孔等に螺着されることにより、壁裏側に付勢されて固定されている。
【００１８】
配線器具固定体３２の前面側にはこれを覆い隠す化粧プレート３５が取り付けられている。化粧プレート３５は、合成樹脂等で矩形状に形成され、配線器具固定体３２の前面に固定されるプレート枠３６と、プレート枠３６に嵌着されるプレート本体３７と、からなる。プレート枠３６は、矩形枠板状に形成され、上下一対の取付ビス３８が配線器具固定体３２の上下一対の固定ビス３４，３４の両外側においてビス止めされることにより配線器具固定体３２に固定されている。プレート本体３７は、中央部に配線器具３１が室内側に臨む四角孔からなる臨み孔３７ａが形成され、周縁部がプレート枠３６の周縁に嵌合することによりプレート枠３６に取り付けられている。
【００１９】
一方、このように構成されている配線器具装置３０に取り付けられる配線器具覆い具１は、図１及び図２に示すように、台座部材１０と、配線器具３１及び化粧プレート３５を覆い隠す覆い部材２０と、からなり、台座部材１０が配線器具固定体３２の裏面３２ｂと壁表面４２との間で挟持され、台座部材１０に覆い部材２０が嵌合により着脱自在に取着される構成となっている。
【００２０】
台座部材１０は、略コ字板状をなし、合成樹脂等で形成され、配線器具固定体３２の裏面３２ｂと壁表面４２との間で挟持され一定幅の水平方向に延びた上下一対の被挟持部１１，１１と、一対の被挟持部１１，１１の一側の端部どうしを連結する一定幅の上下方向に延びた連結部１２と、を有する。図４(c)、(d)に示すように、上下一対の被挟持部１１，１１の内寸である間隔Ｌ１は、配線器具固定体３２の上下一対の固定ビス３４，３４の外寸である間隔Ｌ２より大きく形成され、一対の固定ビス３４，３４の並び方向の両外側にそれぞれ配置可能となっている。すなわち、被挟持部１１は固定ビス３４の外側に配置されることになり、固定ビス３４は被挟持部１１を貫通しない。被挟持部１１は、固定ビス３４を緩めた状態で配線器具固定体３２の裏面３２ｂと壁表面４２との隙間に挿入可能な厚さに形成されている。
【００２１】
更に、台座部材１０は、連結部１２の端縁すなわち図１の左側辺に、化粧プレート３５の周囲の一辺に沿う立ち壁１３が立設されており、立ち壁１３は、化粧プレート３５の壁表側の突出長より大きく突出している。また、台座部材１０は、他の対向する辺すなわち図１の上下一対の被挟持部１１，１１の端縁に壁表側に突出する縦壁１４が設けられ、縦壁１４は立ち壁１３と同一高さに設定されている。更に、両被挟持部１１の先端には、所定高さの段差で突出する突部１１ａが被挟持部１１の幅方向に形成されている。突部１１ａの高さは立ち壁１３及び縦壁１４より小さく設定されている。これは、固定ビス３４を緩めることにより生じる配線器具固定体３２の裏面３２ｂと壁表面４２との隙間に被挟持部１１を挿入する際、突部１１ａが高いとその分固定ビスを緩める量が増えるため、所定高さに抑えたからである。
【００２２】
上下の各縦壁１４には、覆い部材２０の後述する嵌合部２３がスライド移動により嵌合する被嵌合部１５が設けられている。被嵌合部１５は、より詳細には、覆い部材２０の嵌合部２３が壁表側から水平方向に挿入される挿入口１５ａが縦壁１４の延びる方向に間隔をおいて２つ形成されているとともに、各挿入口１５ａの奥側には壁表面４２との間で溝を形成し覆い部材２０の嵌合部２３を被挟持部１１の延びる方向にスライド移動可能なスライド溝１５ｂが形成されて成る。なお、スライド溝１５ｂの底面の一部には台座部材１０に覆い部材２０が取着されたときの保持力を高めるため、小さい山形の突起が設けられている。
【００２３】
ここで、上下一対の辺に設けられた縦壁１４は、化粧プレート３５のプレート枠３６の対向する上下一対の辺の外側縁３６ａと当接し、これにより、プレート枠３６に対する台座部材１０の上下方向の移動が規制されている。また、連結部１２に設けられた立ち壁１３及び被挟持部１１の突部１１ａは、プレート枠３６の対向する左右一対の辺の外側縁３６ａと当接し、これにより、プレート枠３６に対する台座部材１０の左右方向の移動が規制されている。これらの縦壁１４、立ち壁１３及び突部１１ａは、プレート枠３６の外側縁３６ａと当接する当接段部１６を形成している。これらの当接段部１６により、台座部材１０はプレート枠３６に対して一定位置に保持される。また、台座部材１０へのプレート枠３６の組み付け収容を円滑に行なうことができる。なお、当接段部１６は、縦壁１４、立ち壁１３及び突部１１ａに形成されているが、これらのいずれかのみに形成してもよい。
【００２４】
一方、覆い部材２０は、合成樹脂等で形成され、化粧プレート３５の周囲を囲む大きさの形状の周壁２１と、周壁２１の一端側を繋ぎ配線器具３１及び化粧プレート３５を覆い隠す天壁２２と、を備え、図１の右側の一辺を除く他の三辺の周壁２１における他端側の先端縁２１ａは、壁表面４２と略接するように形成されている。また、図１の右側の一辺の周壁２１は、化粧プレート３５の壁表側の突出長より大きい、壁表面４２から切欠高さＨだけ後退するよう形成されている、すなわち、各周壁２１の他端側の先端縁２１ａの一部である右側の一辺の周壁２１は、台座部材１０の連結部１２を配置可能とすべく切欠高さＨだけ切欠かれている。
【００２５】
更に、覆い部材２０の上下一対の周壁２１，２１の先端縁部の内面には、内部空間側に突出して台座部材１０の被挟持部１１の被嵌合部１５に着脱自在に嵌合可能な角柱状突起からなる嵌合部２３が上下に２個ずつ設けられている。この構成により、覆い部材２０は、嵌合部２３を台座部材１０の被嵌合部１５の挿入口１５ａから挿入した後、被挟持部１１の延びる方向にスライド移動させることで、台座部材１０に対して着脱可能となっている。加えて、覆い部材２０は、配線器具３１に接続されたケーブル５０を内外を貫通するように配置すべく、図１における上下面及び左側面の周壁２１の中間部分に、除去可能な閉塞部により閉塞された貫通孔２４が設けられている。本実施形態においては、下面の周壁２１の一部の薄バリ部分をニッパ等の工具を用いて切除、切り欠くことにより貫通孔２４が形成されている。この場合、切り欠かれる周壁２１の薄バリ部分は、除去可能な閉塞部となる。なお、貫通孔２４は、ノックの打ち抜きや、着脱自在な閉塞蓋の取り外しなどによって形成してもよい。
【００２６】
次に、上記のように構成された配線器具覆い具１を壁孔４０に配置されている配線器具装置３０に設置する手順を図４乃至図６に基づいて説明する。ここで、図４乃至図６において、配線器具装置３０は、配線器具３１であるコンセントにプラグ５１が差し込まれ、ケーブル５０は下方に引き出されている。
【００２７】
まず、図４(a)に示すように、壁孔４０に配線器具装置３０が配置されている状態において、プラグ５１及びプレート本体３７を取り外す。なお、化粧プレート３５がプレート枠３６とプレート本体３７とが一体に形成されて成る場合は、これらを一体として取り外す。次いで、ドライバ等の工具を使用して配線器具固定体３２と壁裏側固定体３３とに取り付けられている固定ビス３４を僅かに緩めて、配線器具固定体３２及び配線器具３１をプレート枠３６とともに壁表面４２から所定距離浮かし、図４(b)に示すように、配線器具固定体３２の裏面３２ｂと壁表面４２との間に隙間を形成する。この隙間は、台座部材１０の被挟持部１１の板厚より僅かに大きい。
【００２８】
次に、図４(c)に示すように、配線器具固定体３２及び化粧プレート３５のプレート枠３６の左方向から台座部材１０を壁表面４２に沿って右方向にスライド移動させてこれを配線器具固定体３２と壁表面４２との隙間に挿入する。そして、固定ビス３４を再度締め付ければ、図４(d)に示すように、被挟持部１１は、配線器具固定体３２と壁表面４２とで挟持され、配線器具装置３０に台座部材１０が固定される。このとき、台座部材１０は、図５(e)に示すように、プレート枠３６の上下一対の辺の外側縁３６ａが、台座部材１０の上下一対の縦壁１４の当接段部１６に当接するようにして、また、プレート枠３６の左右一対の辺の外側縁３６ａが、台座部材１０の立ち壁１３の当接段部１６及び被挟持部１１の突部１１ａの当接段部１６に当接するようにして、前記隙間に取り付ける。これにより、台座部材１０とプレート枠３６とは相対的に一定位置に保持される。続いて、図５(ｆ)に示すように、プレート本体３７を前方からプレート枠３６の前面に押し当て、プレート枠３６に嵌着することにより、化粧プレート３５を取り付ける。そして、図５(g)に示すように、配線器具３１にプラグ５１を差し込み、ケーブル５０を接続する。
【００２９】
次に、覆い部材２０の下面の周壁２１の薄バリ部分を工具で切除し、ケーブル５０が内外を貫通する貫通孔２４を形成する。そして、図６(h)に示すように、覆い部材２０の周壁２１の貫通孔２４からケーブル５０を引き出しつつ、覆い部材２０を台座部材１０に取り付ける。このとき、覆い部材２０は、図６(i)に示すように、台座部材１０に対してそのコ字状の開口側である右側に所定距離ずらした位置で台座部材１０に押し当て、それによって嵌合部２３を台座部材１０の被嵌合部１５の挿入口１５ａに挿入してから、覆い部材２０を壁表面４２に沿って左方向にスライド移動させて被嵌合部１５のスライド溝１５ｂ内に嵌合させる。
【００３０】
このとき、台座部材１０は、配線器具固定体３２の裏面３２ｂと壁表面４２とで挟持されてはいるものの、取付時に台座部材１１に対して覆い部材２０を左方向にスライド移動させる際に、覆い部材２０とともに移動してしまって覆い部材２０を取り付けできなくなる虞があるが、台座部材１０に設けられた当接段部１６のうちの連結部１２の立ち壁１３と被挟持部１１の突部１１ａとがプレート枠３６の左右側辺の外側縁３６ａと当接することにより、台座部材１０がプレート枠３６に対して左右方向に移動するのを規制しており、かつ、プレート枠３６は壁表面４２に対して一定位置に固定されているので、確実に覆い部材２０を台座部材１１に取り付けることができる。これにより、覆い部材２０は、図６(j)に示すように、台座部材１０に取着され、配線器具３１及び化粧プレート３５の全体を覆い隠す。
【００３１】
なお、台座部材１０の連結部１２の立ち壁１３と対応する覆い部材２０の周壁２１の先端縁２１ａは、台座部材１０の立ち壁１３を配置可能とすべく切欠高さＨだけ切り欠かれ、壁表面４２から後退しているとともに、台座部材１０の立ち壁１３は、化粧プレート３５の壁表側の突出長より大きく突出しているから、図６(i)において、覆い部材２０を化粧プレート３５の前面に配置したとき、覆い部材２０の左側面の周壁２１の先端縁２１ａが化粧プレート３５のプレート本体３７の表面と干渉するのが回避される。また、覆い部材２０において先端縁２１ａが切り欠かれている周壁２１を除く他の３つの周壁２１の先端縁２１ａは、壁表面４２と略接するように形成されているから、設置後、配線器具覆い具１の見栄えが良く、また、外部からの塵埃の侵入が防止される。
【００３２】
ところで、上記実施形態では、ケーブル５０は、プラグ５１を介して配線器具３１に接続され、覆い部材２０の下面の周壁２１から垂直下方に引き出されたものを例示しているが、ケーブル５０は、覆い部材２０の側面の周壁２１から水平方向に引き出される場合もある。例えば、図７に示すように、コンセントに接続されたケーブル５０は、覆い部材２０の側面の周壁２１に設けられた貫通孔２４から図７の右方向に引き出され、壁表面４２に固定されたケーブル化粧カバーの基台５２内を右方向に配線されている。この場合、ケーブル５０の引出し方向と台座部材１０に対する覆い部材２０のスライド方向とは一致するので、台座部材１０に対する覆い部材２０の取着時の作業性が良い。
【００３３】
次に、本実施形態の配線器具覆い具１、及び配線器具覆い部材の設置構造２の作用を説明する。
台座部材１０の一対の被挟持部１１，１１は、固定ビス３４を緩めた状態で配線器具固定体３２の裏面３２ｂと壁表面４２との隙間に挿入可能に形成されているとともに、一対の被挟持部１１，１１の間隔Ｌ１は一対の固定ビス３４，３４の間隔Ｌ２より大きく形成されて、一対の固定ビス３４，３４の並び方向の両外側にそれぞれ配置可能である、つまり、被挟持部１１は、固定ビス３４が貫通することなく、配線器具固定体３２の裏面３２ｂと壁表面４２とで挟持されることにより取り付けられる。したがって、固定ビス３４を壁裏側固定体３３から完全に取り外すことなく配線器具覆い具１を既設の配線器具固定体３２の裏面３２ｂと壁表面４２との間に挿入し設置することができるから、その作業を効率良く行なうことができる。これは、覆い具１が取り付けられている配線器具装置３０から配線器具覆い具１を着脱するときも同様である。
【００３４】
また、単に固定ビス３４を緩めて台座部材１０を配線器具固定体３２の裏面３２ｂと壁表面４２との隙間に挿入すればよいので、台座部材１０を安全に固定することができる。
【００３５】
そして、覆い具１を取り付けることにより、配線器具３１及び化粧プレート３５は覆われるので、コンセント等の配線器具３１に埃等が侵入し蓄積するのが防止され、トラッキング現象の発生が回避される。また、小児がいたずらで配線器具３１に触れたりすることによる感電事故を防ぐこともできる。更に、配線器具３１がスイッチ等である場合に、小児がいたずらで触れることにより誤作動が生じるのを未然に防止できる。
【００３６】
ところで、上記実施形態の覆い部材２０は、スライド移動させて嵌合部２３を台座部材１０の被嵌合部１５に嵌合させることにより台座部材１０に取着しているが、これに限られるものではなく、例えば、図示しないが、覆い部材２０を台座部材１０に正面から押し付け、覆い部材２０の係止突起を台座部材１０の係止孔に弾性的に係止させることにより、スライド移動させることなくそのまま台座部材１０に取着させてもよい。あるいは、覆い部材２０の嵌合部２３と台座部材１０の被嵌合部１５との嵌合部分を、ヒンジ構造により連結し、または、台座部材１０の連結部１２にヒンジを設けることにより、台座部材１０に覆い部材２０を取着してもよい。
【００３７】
更に、上記実施形態の台座部材１０は、連結部１２に立設された立ち壁１３と上下一対の被挟持部１１に立設された縦壁１４とが同一高さに形成されているが、異なる高さに形成してもよい。この場合、覆い部材２０の一部の周壁２１において反天壁２２側の先端縁２１ａに形成される切欠高さＨは、台座部材１０の連結部１２の立ち壁１３の高さに対応した大きさに形成される。
【００３８】
また、台座部材１０の被挟持部１１は、一定幅に形成されているが、連結部１２側の端部から固定ビス３４と干渉しないその手前までの間においては、幅広に形成してもよい。この場合、挟持面積が増すので、その分、配線器具固定体３２と壁表面４２とによる挟持力が増大する。更に、被挟持部１１の片面または両面にパッキングを貼着してもよい。
加えて、台座部材１０の被挟持部１１の先端部は、配線器具固定体３２と壁表面４２との隙間に挿入し易くするために、先細りの楔形状に形成してもよい。
【００３９】
更に、上記実施形態の配線器具覆い具１は、矩形状に形成されているが、丸形状や八角形状のものとしてもよい。
そして、上記実施形態において、壁裏側固定体３３は、配線ボックスからなるが、これに限らず、壁裏面４１に当接可能な枠状体であってもよい。
加えて、上記実施形態の化粧プレート３５は、プレート枠３６とプレート本体３７とからなるが、前述のように、プレート枠３６とプレート本体３７とが一体化されたものであってもよい。
【符号の説明】
【００４０】
１  配線器具覆い具                  ３０  配線器具装置
２  配線器具覆い部材の設置構造      ３１  配線器具
１０  台座部材                        ３２  配線器具固定体
１１  被挟持部                        ３２ｂ  裏面
１２  連結部                          ３３  壁裏側固定体
１３  立ち壁                          ３４  固定ビス
１４  縦壁                            ３５  化粧プレート
１５  被嵌合部                        ３６  プレート枠
１６  当接段部                        ３７  プレート本体
２０  覆い部材                        ４０  壁孔
２１  周壁                            ４２  壁表面
２１ａ  先端縁                        ５０  ケーブル
２２  天壁                            Ｌ１  一対の被挟持部の間隔
２３  嵌合部                          Ｌ２  一対の固定ビスの間隔
２４  貫通孔                          Ｈ    覆い部材の周壁の切欠高さ
【図１】
2019205236.tif 000003
【図２】
2019205236.tif 000004
【図３】
2019205236.tif 000005
【図４】
2019205236.tif 000006
【図５】
2019205236.tif 000007
【図６】
2019205236.tif 000008
【図７】
2019205236.tif 000009
【図８】
2019205236.tif 000010